(57)【要約】【課題】確実に高濃度の次亜塩素酸を生成するとともに、局部洗浄後に速やかに殺菌動作に移行可能な衛生洗浄装置を提供せんとするものである。【解決手段】給水路を流れる水に含まれる塩化物イオンの捕集と、その捕集した塩化物イオンの脱離が可能な濃縮部と、濃縮部よりも下流の給水路に設けられ、一対の電解用電極を有し、給水路を流れる水を電気分解する電解部とを備え、洗浄ノズルから人体局部に向けて水を吐出させる局部洗浄モードと、電解用電極に電圧を印加して濃縮部から供給される塩化物イオンを含む水を電気分解することで生成した次亜塩素酸を供給する殺菌洗浄モードとを実行可能であり、濃縮部は、局部洗浄モードの実行中に給水路を流れる水に含まれる塩化物イオンを捕集する。【選択図】図６
2014066051.tif 000002
【特許請求の範囲】
【請求項１】
大便器に取り付けられ、人体局部を洗浄する衛生洗浄装置であって、
人体局部に向けて水を吐出する吐水口を備えた洗浄ノズルと、
給水源から供給された水を前記洗浄ノズルの吐水口まで導く給水路と、
前記給水路に設けられ、前記給水路を通る水に含まれる塩化物イオンの捕集と、その捕集した塩化物イオンの脱離が可能な濃縮部と、
前記濃縮部よりも下流の前記給水路に設けられ、一対の電解用電極を有し、前記一対の電解用電極間に電圧を印加することで前記給水路を流れる水を電気分解する電解部と、
前記給水路における水の流れ方と、濃縮部および電解部を制御する制御手段と、を備え、
前記制御手段は、前記洗浄ノズルから人体局部に向けて水を吐出させる局部洗浄モードと、 前記電解用電極に電圧を印加して前記濃縮部から供給される塩化物イオンを含む水を電気分解することで生成した次亜塩素酸を供給する殺菌洗浄モードとを実行可能であり、
前記濃縮部は、前記局部洗浄モードの実行中に前記給水路を流れる水に含まれる塩化物イオンを捕集することを特徴とする衛生洗浄装置。
【請求項２】
前記給水路は、主流路と、分岐部において前記主流路から分岐し下流側に設けられた合流部において前記主流路に合流し、前記濃縮部が設けられるバイパス流路とを有することを特徴とする請求項１記載の衛生洗浄装置。
【請求項３】
前記バイパス流路は、前記分岐部より上流の前記給水路に対して傾斜して分岐し、
前記濃縮部は、一対の濃縮用電極を有し、前記一対の濃縮用電極間に電圧を印加することで、濃縮部を流れる水に含まれる塩化物イオンを捕集するものであって、前記バイパス流路において前記合流部よりも前記分岐部に近い位置に設けられていることを特徴とする請求項２記載の衛生洗浄装置。
【発明の詳細な説明】
【技術分野】
【０００１】
本発明は、人体局部を洗浄する衛生洗浄装置に関し、特に、塩化物イオンを含む水を電気分解して陽極に塩素を発生させ、この塩素と水の反応により次亜塩素酸を含む殺菌水を生成する衛生洗浄装置に関する。
【背景技術】
【０００２】
ノズルから吐出される水によって人体局部（おしりなど）を洗浄する衛生洗浄装置が広く用いられている。このノズル自身を洗浄する機能を備えた衛生洗浄装置として、例えば下記特許文献１に記載のものが知られている。特許文献１記載の装置では、人体局部を洗浄した後に、電解槽内で水道水を電気分解し、これにより発生した次亜塩素酸を含む殺菌水によりノズルを洗浄することが開示されている（特に、段落００３６−００４３参照）。
【先行技術文献】
【特許文献】
【０００３】
【特許文献１】特許第３４８７４４７号明細書
【特許文献２】特開２００９−２７４０２８号公報
【発明の概要】
【発明が解決しようとする課題】
【０００４】
上記特許文献１記載の装置は、電解槽内に供給する水として水道水を用いるが、水道水の塩化物イオン濃度は地域によって大きく異なる。このため、水道水の塩化物イオン濃度が低い地域でこの装置が使用される場合などは、電解槽で高濃度の次亜塩素酸を生成することができず、ノズルの洗浄が不十分になるおそれがある。
【０００５】
一方、水の塩化物イオン濃度を高めることで高濃度の次亜塩素酸を生成する技術として、上記特許文献２に記載のものが知られている。上記特許文献２に記載の装置は、未処理の海水中の微生物を殺滅又は殺菌する塩素処理手段を備え、塩素処理手段は、未処理の海水中に含まれる塩化物イオンの濃度を高める濃縮手段と、濃縮手段の下流側に配置され、塩化物イオン濃度を高めた海水を電気分解して次亜塩素酸を発生させるものである。
【０００６】
しかしながら、上記特許文献２記載の装置のように、水の塩化物イオン濃度を高めて高濃度の次亜塩素酸を生成する技術を衛生洗浄装置に適用する場合において、人体局部を洗浄した後に速やかに殺菌動作に移行し、次回の使用に備えるための最適な設計については、これまで十分な検討がなされていなかった。
【０００７】
本発明は、かかる課題の認識に基づいてなされたものであり、確実に高濃度の次亜塩素酸を生成するとともに、局部洗浄後に速やかに殺菌動作に移行可能な衛生洗浄装置を提供せんとするものである。
【課題を解決するための手段】
【０００８】
上記目的を達成するために、本発明は、大便器に取り付けられ、人体局部を洗浄する衛生洗浄装置であって、人体局部に向けて水を吐出する吐水口を備えた洗浄ノズルと、給水源から供給された水を前記洗浄ノズルの吐水口まで導く給水路と、前記給水路に設けられ、前記給水路を流れる水に含まれる塩化物イオンの捕集と、その捕集した塩化物イオンの脱離が可能な濃縮部と、前記濃縮部よりも下流の前記給水路に設けられ、一対の電解用電極を有し、前記一対の電解用電極間に電圧を印加することで前記給水路を流れる水を電気分解する電解部と、前記給水路における水の流れ方と、濃縮部および電解部を制御する制御手段と、を備え、前記制御手段は、前記洗浄ノズルから人体局部に向けて水を吐出させる局部洗浄モードと、前記電解用電極に電圧を印加して前記濃縮部から供給される塩化物イオンを含む水を電気分解することで生成した次亜塩素酸を供給する殺菌洗浄モードとを実行可能であり、前記濃縮部は、前記局部洗浄モードの実行中に前記給水路を流れる水に含まれる塩化物イオンを捕集する。
【０００９】
本発明では、濃縮部による塩化物イオンの捕集を、局部洗浄モードの実行中に行う。人体局部の洗浄のために洗浄ノズルから吐出する水に塩化物イオンが含まれている必要は無いため、洗浄ノズルの吐水口に導かれるこの水から塩化物イオンの捕集を行うことは、衛生洗浄装置の機能上、何ら問題を生じるものではない。また、局部洗浄モードの実行によって人体局部を洗浄した後、塩化物イオン濃度を高められた水を電気分解して高濃度の次亜塩素酸を含む殺菌水を生成する殺菌洗浄モードに速やかに移行することができる。すなわち、本発明によれば、使用者の人体局部を洗浄した後、迅速に殺菌水を生成して供給することが可能となる。
【００１０】
本発明において、好ましくは、前記給水路は、主流路と、分岐部において前記主流路から分岐し下流側に設けられた合流部において前記主流路に合流し、前記濃縮部が設けられるバイパス流路とを有する。
【００１１】
局部洗浄モードにおいて、濃縮部を流れる水の流速が大きいと、その水に含まれる塩化物イオンを捕集することが困難となり、その後に殺菌洗浄モードを実行しても、高濃度の次亜塩素酸を得られなくおそれがある。
この課題を解決するため、洗浄ノズルから吐出する水の流量を小さくすることで濃縮部を流れる水の流速を小さくすると、今度は洗浄性能の低下や、使用者の洗浄感の悪化という課題を招来する。
【００１２】
本発明では、給水路は分岐部で分岐する主流路およびバイパス流路を有しており、濃縮部がバイパス流路に設けられている。これにより、給水源から供給される水を分岐部で主流路とバイパス流路とに分流させ、小さな流速の水をバイパス流路の濃縮部に流すことで塩化物イオンを十分に捕集することができる容易となる。また、主流路とバイパス流路は合流部で合流し、この合流させた水を洗浄ノズルから吐出させるため、洗浄ノズルから人体局部に供給される水の流量が低下することがない。したがって、局部洗浄モードにおいて洗浄性能の低下や使用者の洗浄感の悪化を抑制しながらも、濃縮部において塩化物イオンを確実に捕集し、その後の殺菌洗浄モードにおいて、高濃度の次亜塩素酸を含む殺菌水を生成することが可能となる。
【００１３】
本発明において、好ましくは、前記バイパス流路は、前記分岐部より上流の前記給水路に対して傾斜して分岐し、前記濃縮部は、一対の濃縮用電極を有し、前記一対の濃縮用電極間に電圧を印加することで、濃縮部を流れる水に含まれる塩化物イオンを捕集するものであって、前記バイパス流路において前記合流部よりも前記分岐部に近い位置に設けられている。
【００１４】
本発明では、バイパス流路が分岐部より上流の給水路に対し傾斜して分岐している。したがって、分岐部からバイパス流路に流れ込んだ水には、上記傾斜した流路を流れることで大きな乱れが生じる。そしてこの水の乱れは、分岐部に近いほど大きなものとなる。
【００１５】
ここで、濃縮用電極に電圧を印加して濃縮部を流れる水の塩化物イオンを捕集する際、濃縮部を流れる水の乱れが大きいほど、塩化物イオンが濃縮用電極に接近する機会が多くなり、塩化物イオンの捕集が容易となる。したがって、本発明のように、濃縮部をバイパス流路において合流部よりも分岐部に近い位置に設けることにより、水の乱れを利用して、十分な塩化物イオンを確実に捕集することが可能となる。
【発明の効果】
【００１６】
本発明の衛生洗浄装置によれば、確実に高濃度の次亜塩素酸を生成するとともに、人体局部を洗浄した後に速やかに殺菌動作に移行可能な衛生洗浄装置を提供することができる。
【図面の簡単な説明】
【００１７】
【図１】本発明の一実施形態である衛生洗浄装置が設置された大便器を示す斜視図である。
【図２】図１に示す衛生洗浄装置の流路系統図である。
【図３】図２に示す衛生洗浄装置に用いられる電解槽を説明するための模式図である。
【図４】第１電圧を決定する手順を示すフローチャートである。
【図５】電気伝導度と第１電圧との関係を示す図である。
【図６】局部洗浄モードにおける流路系統図である。
【図７】殺菌洗浄モードにおける流路系統図である。
【発明を実施するための形態】
【００１８】
以下、添付図面を参照しながら本発明の実施の形態について説明する。説明の理解を容易にするため、各図面において同一の構成要素に対しては可能な限り同一の符号を付して、重複する説明は省略する。
【００１９】
図１は、本発明の一実施形態である衛生洗浄装置が設置された大便器を示す斜視図である。同図に示すように、衛生洗浄装置１００は水洗式の大便器１１０上に載置して使用される。そして、図示しないリモコンに設けられた「おしり」スイッチ等を使用者が操作することにより、それまでケーシング１０１内に収納されていた洗浄ノズル１４が大便器１１０のボウル部１１１内に進出し、洗浄ノズル１４の先端に開設された吐水口１４１から上方に向けて吐出する水によって人体局部（おしりなど）を洗浄することができる。人体局部の洗浄を終えた使用者が、リモコンに設けられた「停止」スイッチ等を操作することで、衛生洗浄装置１００は水の吐水を停止し、洗浄ノズル１４は後退してケーシング１０１内に収納され、次回の使用に備える。
【００２０】
図２は、本発明の一実施形態である衛生洗浄装置の流路系統図である。なお、同図には、衛生洗浄や殺菌水の生成に関連しない要素については図示を省略しているが、本実施形態の衛生洗浄装置は、人体局部を洗浄するために必要な周知の構成を備えている。
【００２１】
図２に示すように、流路系統１０は、水道管といった給水源１２から洗浄ノズル１４へと水を導く給水路を構成する上流流路１６、主流路１７、バイパス流路１８、及び下流流路１９を備えている。上流流路１６は、給水源１２と主流路１７及びバイパス流路１８とを連通する流路である。下流流路１９は、主流路１７及びバイパス流路１８と洗浄ノズル１４とを連通する流路である。
【００２２】
主流路１７とバイパス流路１８は、分岐部２０において分岐し、合流部２１において合流するように設けられている。バイパス流路１８は、上流流路１６に対し約９０度傾斜して連通しており、濃縮部である濃縮槽６が設けられている。濃縮槽６は、バイパス流路１８において、合流部２１よりも分岐部２０に近い位置に設けられている。
【００２３】
下流流路１９には、上流側から順に、電解部である電解槽１と、洗浄バルブ２８とが設けられている。下流流路１９の電解槽１の下流側であって洗浄バルブ２８の上流側には分岐部２２が設けられている。分岐部２２において下流流路１９から分岐し、下方に向かって延びる排水流路２３が設けられている。排出流路２３には、排出バルブ３０が設けられている。
【００２４】
下流流路１９の洗浄バルブ２８の下流側には、洗浄ノズル１４が設けられている。洗浄ノズル１４には、人体局部に向けて水を吐出する複数の吐水口１４１が開設されている他、その吐水口１４１まで水を導く流路が内部に設けられている。洗浄ノズル１４は、図示しない減速機等を介してモータ２９と接続されている。このモータ２９の駆動により、洗浄ノズル１４は、大便器１１０のボウル部１１１内に進出した位置と、ケーシング１０１内に収納される位置との間で、矢印Ｎの方向に進退可能に構成されている。洗浄ノズル１４がケーシング１０１内に収納された位置では、吐水口１４１の上方にはケーシング１０１のクリーニングカバー１０２が配置されており、吐水口１４１から吐出されクリーニングカバー１０２で跳ね返る水により、洗浄ノズル１４自身の外表面の洗浄を行うことができる。
【００２５】
電解槽１、濃縮槽６、洗浄バルブ２８、モータ２９、及び排出バルブ３０は、制御部２４と通信可能なように接続されている。洗浄バルブ２８は、制御部２４の指令に基づいて開閉し、下流流路１９の分岐部２２よりも下流側への水の流入を制御する。また、制御バルブ２８は、流路１９の開閉のみならず、開度の調整も可能なように構成されている。洗浄バルブ２８の開度が大きいほど、流量及び流速も大きなものとなる。
【００２６】
排出バルブ３０は、制御部２４の指令に基づいて開閉し、排出流路２３への水の流入を制御する。これら排出流路２３及び排出バルブ３０により排出機構３２が構成される。なお、本実施形態では、下流流路１９を分岐して排出流路２３を設けているが、これに限らずに、下流流路１９の下面に開口を設けるのみでもよい。また、本実施形態では、排出流路２３に排出バルブ３０を設けて、これにより排出流路２３を流れる水流を制御しているが、これに限らず、ポンプ等を用いて、排出流路２３を流れる水流を制御することもできる。排出バルブ３０は、電解槽１における水の電気伝導度の測定時に開かれる。排出バルブ３０から排出される水は便器１２０のボウル部に排出される。
【００２７】
制御部２４は、給水源１２に設けられている給水バルブ（図示しない）を制御し、上流流路１６に流れる水量を調整することができる。制御部２４は、濃縮槽６に配置される一対の濃縮用電極に電圧を印加するタイミングを制御し、その電圧も可変可能なように構成されている。制御部２４は同様に、電解槽１に配置される一対の電解用電極に電圧を印加するタイミングを制御し、その電圧も可変に構成されている。
【００２８】
制御部２４は、塩化物イオンを濃縮用電極の陽極に引き寄せて捕集するために、濃縮槽６の一対の濃縮用電極間に第１電圧を印加するほか、印加していた電圧を解除することで、捕集した塩化物イオンを脱離させることができる。また、制御部２４は、電解槽１の一対の電解用電極間に印加される電圧を制御し、後述する測定用電圧や、次亜塩素酸又は次亜塩素酸イオンを生成する電圧が印加されるよう制御する。
【００２９】
図３は、電解槽１及び濃縮槽６を説明するための模式図である。同図に示すように、濃縮槽６は、一対の濃縮用電極２ａ，４ａを有し、これら濃縮用電極２ａ，４ａの間に電圧を印加することができるように構成されている。濃縮槽６では、塩化物イオンの捕集のみを行なっている。また、電解槽１は、一対の電解用電極２ｂ，４ｂを有し、これら電解用電極２ｂ，４ｂの間に電圧を印加することにより、水を電気分解する。
【００３０】
水道水を電気分解すると、式（１）及び式（２）の反応が起き、陽極からは酸素が、陰極からは水素が発生する。
陽極：２Ｈ２Ｏ→４Ｈ＋＋Ｏ２＋４ｅ-    （１）
陰極：４Ｈ２Ｏ＋４ｅ-→２Ｈ２＋４ＯＨ-    （２）
【００３１】
ここで、電極触媒として、白金・イリジウム（Ｐｔ・ＩｒＯ２）を塗布した電極を用いることにより、式（３）に示すように、陽極で塩素が生成する。
陽極：２Ｃｌ-→Ｃｌ２＋２ｅ-    （３）
【００３２】
塩素はｐＨにより、塩素、次亜塩素酸（ＨＣｌＯ）、次亜塩素酸イオン（ＣｌＯ-）となる（式４、式５参照）。次亜塩素酸（ＨＣｌＯ）、次亜塩素酸イオン（ＣｌＯ-）は、殺菌力を有するものである。
陽極：Ｃｌ２＋Ｈ２Ｏ→ＨＣｌＯ＋Ｈ２＋Ｃｌ-    （４）
陽極：ＨＣｌＯ→ＣｌＯ-＋Ｈ＋    （５）
【００３３】
式（３）の反応に至る前に、水道水中の塩化物イオンが陽極に引き寄せられることから、式（３）の反応が起こらないような電圧を印加することで、陽極表面に塩化物イオンを未反応のまま捕集することができる。
【００３４】
続いて、図４を参照しながら、制御部２４による第１電圧の決定手順を説明する。図４は、第１電圧を決定する手順を示すフローチャートである。図４に示すフローは、装置設置後の初回通電時に行ったり、定期的に行ったりするものである。
【００３５】
ステップＳ１１では、排出バルブ３０を開いて、上流流路１６から主流路１７及びバイパス流路１７を流れ、下流流路１９から電解槽１を流れて排出流路２３に至る流れを形成する。ステップＳ１２では、電解槽１に設けられた一対の電解用電極２ｂ，４ｂを利用して、水の電気伝導率を測定する。
【００３６】
ステップＳ１３では、測定された電気伝導率に基づいて、第１電圧を決定する。図５に、電気伝導率と第１電圧との関係の一例を示す。このような対応関係は、予め設定され、制御部２４のメモリに格納されている。図５に例示するように、水の電気伝導率が低いほど、給水される水が含有する塩化物イオン濃度は低いものと想定される。
【００３７】
ステップＳ１４では、ステップＳ１３にて決定された第１電圧Ｖ１をメモリに格納する。ステップＳ１５では、排出バルブ３０を閉じる。
【００３８】
続いて図６及び図７を参照しながら、衛生洗浄装置１００の運転モードについて説明する。図６は、局部洗浄モードにおける流路系統図であり、図７は、殺菌洗浄モードにおける流路系統図である。
【００３９】
図６に示す局部洗浄モードは、使用者が排便後に人体局部を洗浄するために実行される運転モードである。排便後、図示しないリモコンに設けられた「おしり」スイッチ等を使用者が操作すると、制御部２４は、まずモータ２９を駆動させ、それまでケーシング１０１内に収納されていた洗浄ノズル１４を大便器１１０のボウル部１１１内に進出させる。
【００４０】
次に、制御部２４は、洗浄バルブ２８を開くことで、給水源１２から上流流路１６に水を流入させる。上流流路１６を流れた水は、分岐部２０において分流し、主流路１７及びバイパス流路１８に流入する。この分流により、バイパス流路１８における水の流速は、上流流路１６及び主流路１７を流れる水の流速よりも小さくなるよう、各流路の径や長さが設定されている。分岐部２０からバイパス流路１８に流入する水は、バイパス流路１８に設けられた濃縮槽６の濃縮用電極２ａ、４ａ近傍を流れる。
【００４１】
主流路１７及びバイパス流路１８を流れた水は、その下流に設けられた合流部２１で合流した後、下流流路１９に流入する。下流流路１９に流入した水は、電解槽１、分岐部２２及び洗浄バルブ２８の順に通過して洗浄ノズル１４に到達し、洗浄ノズル１４の先端に開設された吐水口１４１から吐出して人体局部の洗浄に使用される。
【００４２】
この局部洗浄モードの実行中、制御部２４は、図３に示した電解用電極２ｂ、４ｂの間には電圧を印加することなく、濃縮用電極２ａ、４ａの間に第１電圧を印加するよう制御する。これにより、バイパス流路１８を流れる水に含まれる塩化物イオンが、陽極である濃縮用電極４ａの表面に引き寄せられて捕集される。このとき濃縮用電極２ａ、４ａの間に印加される第１電圧は、濃縮用電極４ａ表面に塩化物イオンを未反応のまま捕集できる程度の大きさに設定されている。
【００４３】
上述したように、上流流路１６を流れた水が分岐部２０において分流することにより、バイパス流路１８を流れる水の流速は、上流流路１６及び主流路１７を流れる水の流速よりも小さくなるよう構成されるため、濃縮用電極４ａ表面に塩化物イオンを効率よく捕集することができる。
【００４４】
また、バイパス流路１８は、上流流路１６に対し約９０度傾斜して連通しているため、上流流路１６から分岐部２０を通過してバイパス流路１８に流入した水には、上記傾斜した流路を流れることで乱れが生じる。これにより、分岐部２０に近い位置に設けられた濃縮槽６内の水の流れも乱れたものとなり、濃縮槽６の濃縮用電極４ａ表面に塩化物イオンが接近する機会が大きくなることから、塩化物イオンをさらに効率よく捕集することができる。
【００４５】
さらに、主流路１７及びバイパス流路１８を流れた水は、その下流に設けられた合流部２１で合流することから、給水源１２から上流流路１６に流入した水を、その流量を低下させることなく洗浄ノズル１４の吐水口１４１から人体局部に向けて吐出させることができる。したがって、本実施形態の局部洗浄モードによれば、洗浄性能や使用者の洗浄感と、濃縮用電極４ａにおける塩化物イオンの捕集とを高い次元で両立することが可能となる。
【００４６】
図７に示す殺菌洗浄モードは、局部洗浄モードの実行後に実行される運転モードであり、次亜塩素酸を含む殺菌水により洗浄ノズル１４の外表面を洗浄するために実行されるものである。局部洗浄モードの実行中に、図示しないリモコンに設けられた「停止」スイッチ等を使用者が操作すると、制御部２４は、まず洗浄バルブ２８を閉じて洗浄ノズル１４の吐水口１４１からの水の吐出を停止する。次に、制御部２４は、モータ２９を駆動させ、それまで大便器１１０のボウル部１１１内に進出していた洗浄ノズル１４を後退させる。
【００４７】
後退した洗浄ノズル１４がケーシング１０１内に収納されると、制御部２４は、洗浄バルブ２８を再び開き、給水源１２から上流流路１６に水を流入させる。上流流路１６を流れた水は、分岐部２０において分流し、主流路１７及びバイパス流路１８に流入する。分岐部２０からバイパス流路１８に流入する水は、バイパス流路１８に設けられた濃縮槽６の濃縮用電極２ａ、４ａ近傍を通過する。
【００４８】
主流路１７及びバイパス流路１８を流れた水は、その下流に設けられた合流部２１で合流した後、下流流路１９に流入する。下流流路１９に流入した水は、電解槽１、分岐部２２及び洗浄バルブ２８の順に流れて洗浄ノズル１４に到達し、洗浄ノズル１４の先端に開設された吐水口１４１から吐出する。吐水口１４１から吐出した水は、上方に配置されたケーシング１０１のクリーニングカバー１０２で跳ね返り、その水で洗浄ノズル１４自身の外表面の洗浄が行われる。
【００４９】
このとき、制御部２４は、図３に示した濃縮用電極２ａ、４ａの間には電圧を印加していない。これにより、バイパス流路１８を流れて濃縮槽６に流入し、濃縮用電極４ａ（陽極）近傍を流れる水によって、局部洗浄モードの実行中に濃縮用電極４ａ（陽極）表面に捕集されていた塩化物イオンが脱離し、下流側へと流される。したがって、バイパス流路１８の濃縮槽６の下流側に、塩化物イオンを多量に含んだ水が流れて合流部２１に向かうことになる。
【００５０】
塩化物イオンを多量に含んだこの水は、合流部２１において主流路１７を流れてくる水と合流して下流流路１９に流入し、さらに、下流流路１９に設けられた電解槽１に流入する。
【００５１】
このとき、制御部２４は、図３に示した電解用電極２ｂ、４ｂの間に電圧を印加している。したがって、電解用電極４ｂ（陽極）では、上述の塩化物イオンを多量に含んだ水を用いて確実に次亜塩素酸を生成することができ、洗浄ノズル１４自身の外表面を殺菌することができる。
【００５２】
制御部２４は、洗浄ノズル１４の外表面を殺菌した後に、洗浄バルブ２８を閉めるとともに、電解用電極２ｂ、４ｂ間への電圧印加を停止して殺菌洗浄モードを終了する。殺菌洗浄モードの実行により外表面が殺菌されることで、その後洗浄ノズルは清潔な状態を維持して次回の使用に備えることができる。
【００５３】
本実施形態では、電解槽で生成した次亜塩素酸を含む殺菌水を、洗浄ノズルの吐水口から吐出し、洗浄ノズルの外表面の洗浄を行うよう構成されているが、本発明の実施形態はこれに限られるものではない。例えば、衛生洗浄装置のケーシング等に、洗浄ノズルのものとは別個の吐水口を設け、当該吐水口から大便器のボウル部に対し殺菌水を吐出するよう構成し、ボウル部の殺菌を行ってもよい。
【符号の説明】
【００５４】
１  電解槽（電解部）
２，４  電極
６    濃縮槽（濃縮部）
１０  流路系統
１４  洗浄ノズル
１７  主流路
１８  バイパス流路
２０  分岐部
２１  合流部
２２  排水流路
２８  洗浄バルブ
３０  排出バルブ
３２  排出機構
１００  衛生洗浄装置
１１０  大便器
１４１  吐水口
【図１】
2014066051.tif 000003
【図２】
2014066051.tif 000004
【図３】
2014066051.tif 000005
【図４】
2014066051.tif 000006
【図５】
2014066051.tif 000007
【図６】
2014066051.tif 000008
【図７】
2014066051.tif 000009